(57)【要約】【課題】各セットの鑑査機から排出されるカセットをオペレータが集め回るこなく、一定箇所に回収して処理できるようにする。【解決手段】紙葉類の良否を判別し、不良と判別した紙葉類をカセット内に収納して搬出する複数の鑑査機１１と、これら鑑査機１１にそれぞれ接続され、鑑査機から搬出されるカセットを受けて搬送する連結コンベヤ１３と、これら連結コンベヤ１３から搬出されるカセットを受けて搬送する多目的コンベヤ１５とを有して構成される第１〜第８のセット１〜８と、これらセット１〜８の多目的コンベヤ１５からそれぞれ搬出されるカセットを受けて所定位置に搬送する回収用コンベヤ１７と、この回収用コンベヤ１７によってＲＳ室３０に搬送されたカセット内の紙葉類を処理する処理機３２とを具備する。【選択図】    図１
2004231337.tif 000002
【特許請求の範囲】
【請求項１】
紙葉類の良否を判別し、不良と判別した紙葉類をカセット内に収納して搬出する複数の判別手段と、これら複数の判別手段にそれぞれ接続され、前記判別手段から搬出されるカセットを受けて搬送する第１の搬送手段と、これら第１の搬送手段から搬出されるカセットを受けて搬送する第２の搬送手段とを有して構成される複数の処理系列と、
これら複数の処理系列の前記第２の搬送手段からそれぞれ搬出されるカセットを受けて所定位置に搬送する第３の搬送手段と、
この第３の搬送手段によって所定位置に搬送されたカセット内の紙葉類を処理する処理手段と
を具備することを特徴とする紙葉類処理装置。
【請求項２】
前記第２の搬送手段により搬送されるカセットを前記第３の搬送手段に移載する移載手段を備えたことを特徴とする請求項１記載の紙葉類処理装置。
【請求項３】
前記各処理系列の第２の搬送手段を選択的に動作させる制御手段を備えたことを特徴とする請求項１記載の紙葉類処理装置。
【請求項４】
前記第１乃至第３の搬送手段における紙葉類の搬送状態を表示する表示部を備えたことを特徴とする請求項１記載の紙葉類処理装置。
【発明の詳細な説明】
【０００１】
【発明の属する技術分野】
本発明は、例えば、排除すべき券として判別された有価証券などの紙葉類をカセット内に収納して排出する紙葉類処理装置に関する。
【０００２】
【従来の技術】
この種の紙葉類処理装置には、複数台の鑑査機（判別手段）からなる処理系列を複数系列備えてなるものがある。
【０００３】
鑑査機では、紙葉類の良否が判別され、不良と判別された紙葉類は排除券としてカセット内に収納して排出するようになっている。鑑査機から排出されたカセットは、排除券処理機に回収されてカセット内の排除券が処理されるようになっている。
【０００４】
【発明が解決しようとする課題】
しかしながら、従来においては、カセットの回収作業を人手によって行っていたため、各鑑査機から排出されるカセットを集めて回らなければならず、オペレータの労働負担が大きなものとなっていた。
【０００５】
また、排除券処理機は、各処理系列毎に１台という構成のため、排除券の処理はその処理系列毎に行わなければならない。このため、排除券処理機の異常時などには、該当処理系列の業務自体が滞ってしまうという不都合がある。
【０００６】
本発明は上記事情に着目してなされたもので、その目的とするところは、各処理系列の判別手段から排出されるカセットをオペレータが集め回るこなく、一定箇所に自動的に回収して処理できるようにした紙葉類処理装置を提供することを目的とする。
【０００７】
【課題を解決するための手段】
上記課題を解決するため、請求項１記載のものは、紙葉類の良否を判別し、不良と判別した紙葉類をカセット内に収納して搬出する複数の判別手段と、これら複数の判別手段にそれぞれ接続され、前記判別手段から搬出されるカセットを受けて搬送する第１の搬送手段と、これら第１の搬送手段から搬出されるカセットを受けて搬送する第２の搬送手段とを有して構成される複数の処理系列と、これら複数の処理系列の前記第２の搬送手段からそれぞれ搬出されるカセットを受けて所定位置に搬送する第３の搬送手段と、この第３の搬送手段によって所定位置に搬送されたカセット内の紙葉類を処理する処理手段とを具備する。
【０００８】
【発明の実施の形態】
以下、本発明を図面に示す実施の形態を参照して詳細に説明する。
【０００９】
図１は、本発明の一実施の形態である紙葉類処理装置を全体的に示す平面図である。
【００１０】
図中１〜８は複数の処理系列としての第１乃至８のセットで、これら第１乃至８のセット１〜８は、鑑査室（以下、ＣＰ室という）１０に配置されている。これら第１乃至８のセット１〜８は、略同様に構成されるため、第１のセット１を代表して説明する。
【００１１】
第１のセット１は、所定方向に一定の間隔を存して配設される複数（例えば５台）の判別手段としての鑑査機１１…を備えている。これら複数の鑑査機１１…は、有価証券や郵便物などの紙葉類の良否を判別し、不良の場合には、排除券としてカセット内に収納して排出するようになっている。
【００１２】
複数の鑑査機１１…のカセット排出側には、図２にも示すように、第１の搬送手段としての連結コンベヤ（以下、ＢＣＢということもある）１３の一端側が接続され、これら連結コンベヤ１３…の他端側は第２の搬送手段としての多目的コンベヤ（以下、ＢＣＭということもある）１５に接続されている。多目的コンベヤ１５は複数の鑑査機１１…の配列方向に沿って配置されている。
【００１３】
多目的コンベヤ１５のカセット搬送方向の先端側には、それぞれ移載装置１６が配設され、これら移載装置１６…により多目的コンベヤ１５から第３の搬送手段としての回収用コンベヤ（以下、ＲＪＣということもある）１７に移載するようになっている。
【００１４】
回収用コンベヤ１７は、連続的に配設される第１乃至第４のコンベヤ部１７ａ〜１７ｄと、乗り継ぎコンベヤ２４と、スロープコンベヤ２５と、集積コンベヤ２８とによって構成されている。
【００１５】
第１乃至第４のコンベヤ部１７ａ〜１７ｄは各セット１〜８の多目的コンベヤ１５…のカセット排出側を連結するように設けられ、カセットは第４のコンベヤ部１７ｄから第１のコンベヤ部１７ａに向かって搬送されるようになっている。
【００１６】
乗り継ぎコンベヤ２４、スロープコンベヤ２５及び集積コンベヤ２８は、排除券処理室（以下、ＲＳ室ということもある）３０内に配設されている。排除券処理室３０内には、排除券を処理する処理機３２…が配設されている。
【００１７】
上記した構成において、各セット１〜８の各鑑査機１１…にて、紙葉類の良否が判別され、不良と判別された場合には、排除券としてカセット内に収納される。紙葉類の鑑査が一定枚数に達したら、カセットに対する排除券の収納を終了する。
【００１８】
排除券の収納が終了したカセットは、各セット１〜８の各鑑査機１１…から各連結コンベヤ１３にそれぞれ排出される。連結コンベヤ１３では、排出されたカセットをバッファリングしておき、後述する制御部３６からの指示により、回転して多目的コンベヤ１５にカセットを排出する。多目的コンベヤ１５に排出されたカセットは、多目的コンベヤ１５の回転により移載装置１６に向かって搬送される。
【００１９】
この移載装置２１では、カセットを再度、バッファリングし、制御部３６の指示により駆動されて回収用コンベヤ１７に移載する。この回収用コンベヤ１７へのカセットの移載指示は下流側のセット１から上流側のセット８の順に行い、各セット１〜８からのカセットの回収処理を各セット１〜８間で平滑化するとともに、カセット回収の時間間隔を平均化するようになっている。
【００２０】
このように各セット１〜８から回収用コンベヤ１７の各コンベヤ部１７ａ〜１７ｄに移載されたカセットは、ＲＳ室３０に向かって搬送され、乗り継ぎコンベヤ２４、スロープコンベヤ２５を介してＲＳ室３０内の集積コンベヤ２８ヘと搬送されて集積される。
【００２１】
このＲＳ室３０内の集積コンベヤ２８に集積されたカセットはオペレータにより取出され、カセット内の排除券を排除券処理機３２により処理する。
【００２２】
図３は上記したコンベヤシステムの駆動制御系を示すブロック図である。
図中３５は操作スイッチで、この操作スイッチ３５にはＲＪＣ主制御部３６、ＲＪＣＰ３７が接続されている。ＲＪＣ主制御部３６は、ＲＪＣ１７や移載装置１６の駆動を制御するもので、ＲＪＣＰ３７はＲＳ室３０に設けられ、ＲＳ室３０内におけるカセットの搬送異常等を表示する表示部である。
【００２３】
また、操作スイッチ３５には、ＲＳ室３０のコンベヤの駆動を制御する制御部３８、及び各セット１〜８のＢＣＭ１５の駆動を制御する制御部３９…が接続されている。
【００２４】
ＲＪＣＰ３７には、鑑査システムＬＡＮ４１を介して各セット１〜８のＳＳＰ４２…が接続され、これらＳＳＰ４２…にはセット内ＬＡＮ４３を介して各セットのＢＣＢ１３…が接続されている。ＳＳＰ４２…はＣＰ室１０内に配設され、ＢＣＭ１５及びＲＪＣ１７におけるカセットの搬送異常等を表示する表示部である。
【００２５】
次に、上記した紙葉類処理装置による排除券の処理動作を図４に基づいて説明する。
まず、操作スイッチ３５をオンして各ＢＣＭ１５…の排除券カセットの処理系を初期化する（ステップＳ１）。ついで、ＣＰ室１０のＲＪＣ１７を初期化して運転を開始する（ステップＳ２）。こののち、ＲＳ室３０のＲＪＣ１７を初期化して運転を開始する（ステップＳ３）。この運転開始後、必要に応じて優先搬送を選択する（ステップＳ４）。ここで、優先搬送とは、各セット１〜８のＢＣＭ１５のうちの一つによって搬送されるカセットを他のＢＣＭ１５によって搬送されるカセットに優先してＲＪＣ１７に移載して搬送することをいう。
【００２６】
こののち、ＢＣＢ１３に一時的に待機しているカセットを上述したように、ＲＳ室３０の集積コンベヤ２８まで搬送する（ステップＳ５）。
即ち、ＢＣＢ１３にカセットの排出を指示し、カセットの排出を待つ。ついで、ＢＣＢ１３からＢＣＭ１５に排出されたカセットをＢＣＭ１５を回転させて移載装置１６まで搬送する。そして、移載装置１６により、カセットをＲＪＣ１７に移載し搬送する。そして、このカセットを乗り継ぎコンベヤ２４及びスロープコンベヤ２５を介して集積コンベヤ２８に搬送する。
【００２７】
上記したＢＣＭ１５からＲＪＣ１７へのカセットの移載前、或いは移載中において、カセットがジャムした場合には、ＳＳＰ４２によりジャム表示される（ステップＳ６）。この表示を見てオペレータは、カセットを除去する（ステップＳ７）。これにより、ＢＣＭ１５のジャムが解除され（ステップＳ８）、オペレータは取出したカセットをＲＳ室３０に運ぶ（ステップＳ９）。こののち、ＣＰ室１０のＲＪＣ１７の運転を再開する（ステップＳ１０）。
【００２８】
また、ＣＰ室１０のＲＪＣ１７上でカセットのジャムが発生した場合には、ＳＳＰ４２によりジャムが表示される（ステップＳ１１）。この表示を見てオペレータはジャムしたカセットとその周辺のカセットを除去する（ステップＳ１２）。そして、取出したカセットをＲＳ室３０に運ぶ（ステップＳ１３）。これにより、ＣＰ室１０のＲＪＣ１７のジャムが解除され（ステップＳ１４）、運転が再開される（ステップＳ１５）。
【００２９】
また、ＲＳ室３０でカセットのジャムが発生した場合には、ＲＪＣＰ３７にジャムが表示される（ステップＳ１７）。この表示を見てオペレータは、ジャムしたカセットとその周辺のカセットを除去する（ステップＳ１７）。これにより、ＲＳ室３０でのＲＪＣ１７のジャムが解除され（ステップＳ１８）、運転が再開される（ステップＳ１９）。
【００３０】
また、上記したステップＳ５で排除券カセットの搬送が全ての終了したのちは、ＣＰ室１０のＲＪＣ１７の運転が停止され（ステップＳ２０）、ついで、ＲＳ室３０でのＲＪＣ１７の運転が停止されて処理が終了する（ステップＳ２１）。
【００３１】
この実施の形態によれば、各鑑査機１１にて発生しカセットにて回収された排除券を、鑑査機１１…やセット１〜８を問わず、一括集中的に設置した排除券処理機３２にて処理することが可能となる。
【００３２】
なお、この発明は、上記した一実施の形態に限られることなく、その要旨の範囲内で種々変形実施可能なことは勿論である。
【００３３】
【発明の効果】
本発明は以上説明したように、排除券カセットの回収処理を自動化するとともに、各判別手段にて発生した排除券の処理を判別手段、及びカセットを問わず、所定位置にて一括集中で行うことが可能となり、労働力削減とともに、業務効率が向上するという効果を奏する。
【図面の簡単な説明】
【図１】本発明の一実施の形態である紙葉類処理装置を示す平面図。
【図２】図１の紙葉類処理装置の一部を拡大して示す平面図。
【図３】図１の紙葉類処理装置のカセット搬送系の駆動制御系を示す回路図。
【図４】図１の紙葉類処理装置の排除券カセットの処理動作を示すフローチャート図。
【符号の説明】
１１…判別手段（鑑査機）、１３…連結コンベヤ（第１の搬送手段）、１５…多目的コンベヤ（第２の搬送手段）、１〜８…第１乃至第８のセット（処理系列）、回収用コンベヤ（第３の搬送手段）、３０…処理機（処理手段）、移載装置（移載手段）、３９…制御部（制御手段）、３７…ＲＪＣＰ（表示部）、４２…ＳＳＰ（表示部）。
【図１】
2004231337.tif 000003
【図２】
2004231337.tif 000004
【図３】
2004231337.tif 000005
【図４】
2004231337.tif 000006